(57)【要約】【課題】簡単な塗布操作で、塗布対象毛に対して塗布液をムラなく均一に塗布できる。【解決手段】芯材３に植毛されたブラシ毛材４によって塗布対象毛に塗布液２０を塗布する液塗布具１において、芯材３を中心として外方にブラシ毛材４を突出するように植毛し、芯材３に、螺旋状に曲げ加工を施すことにより、螺旋状の芯材３を中心としてブラシ毛材４を放射状に広がって突出するようにした。【選択図】図１
2010063747.tif 000002
【特許請求の範囲】
【請求項１】
芯材に植毛されたブラシ毛材によって塗布対象毛に塗布液を塗布する液塗布具において、
前記芯材を中心として外方に前記ブラシ毛材を突出するように植毛し、
前記芯材に、螺旋状に曲げ加工を施すことにより、螺旋状の前記芯材を中心として前記ブラシ毛材を放射状に広がって突出するようにしたことを特徴とする液塗布具。
【請求項２】
前記芯材の螺旋状の中心に、螺旋方向に延びる補強部材を設けたことを特徴とする請求項１に記載の液塗布具。
【発明の詳細な説明】
【技術分野】
【０００１】
この発明は、液塗布具に関し、特にマスカラブラシや毛染め用ブラシのように塗布対象毛にマスカラや毛染め液などの塗布液を塗布する場合に適用して好適なものである。
【背景技術】
【０００２】
従来この種の液塗布具として、例えばマスカラブラシとして、特許文献１に開示されているように、ブラシに付着させたマスカラを、まつ毛に塗布するものが用いられている。
【０００３】
このマスカラブラシとしての液塗布具Ｒ１は、図１０に示すように、塗布液容器Ｒ２の取出口Ｒ３から、キャップＲ４に固着されたシャフトＲ５の先端に設けられたブラシ本体Ｒ６を出し入れすることにより、ブラシ本体Ｒ６を塗布液としてのマスカラに浸して外部に取り出すようになされている。
【０００４】
そして、取出口Ｒ３の内側には、円筒状のしごき部材Ｒ７が設けられ、ブラシ本体Ｒ６を取出口Ｒ３から引き抜くときに、ブラシ本体Ｒ６の周囲に付着している余分な塗布液を、小さい内径を有するしごき部材Ｒ７によってしごき落とすことにより、外部に取り出したブラシ本体Ｒ６のブラシ毛材Ｒ６ＡやシャフトＲ５から塗布液をぼた落ちさせないように構成されている。
【０００５】
ところで、ブラシ本体が、図１１に示すように、２本のステンレス線材１００間に、その延長方向に多数のブラシ繊維材料を配列するように挟み込んだ状態において、２本の線材１００にねじり加工を施すことにより、ねじり加工された２本の線材１００でなる芯材１０１を中心として、直線的に外方にブラシ毛材１０２を突出するように植毛したものがある。
【特許文献１】特開平５−２２８０１８号公報
【発明の開示】
【発明が解決しようとする課題】
【０００６】
ところが、図１１に示すように構成されていると、ブラシ毛材１０２の間に隙間１１０が生じ、ブラシ毛材１０２がしごき部材によって引抜き方向とは逆方向に押し付けられることにより、その方向に一斉に倒れるような動作し、これによりブラシ本体の周囲に付着した余分な塗布液がしごき落とされるので、ブラシ毛材１０２には少量の塗布液が付着し、ブラシ毛材１０２の間の隙間１１０には多量の塗布液が付着する。
【０００７】
このように、ブラシ本体Ｒ６には、塗布液の少量付着部分と、多量付着部分とがあることで、使用者がまつ毛に塗布液を塗布するときに、塗布液の少量付着部分では、まつ毛に塗布できる塗布液の量が不足し、多量付着部分ではまつ毛に塗布できる塗布液の量が過剰になり、使用者が塗布操作を繰り返えしても、まつ毛に塗布液を均一に塗布できない結果になる。
【０００８】
この発明は以上の点を考慮してなされたもので、簡単な塗布操作で、塗布対象毛に対して塗布液をムラなく均一に塗布できる液塗布具を提案することを目的としている。
【課題を解決するための手段】
【０００９】
前記課題を解決し、かつ目的を達成するために、この発明は、以下のように構成した。
請求項１に記載の発明は、芯材に植毛されたブラシ毛材によって塗布対象毛に塗布液を塗布する液塗布具において、
前記芯材を中心として外方に前記ブラシ毛材を突出するように植毛し、
前記芯材に、螺旋状に曲げ加工を施すことにより、螺旋状の前記芯材を中心として前記ブラシ毛材を放射状に広がって突出するようにしたことを特徴とする液塗布具である。
【００１０】
請求項２に記載の発明は、前記芯材の螺旋状の中心に、螺旋方向に延びる補強部材を設けたことを特徴とする請求項１に記載の液塗布具である。
【発明の効果】
【００１１】
前記構成により、この発明は、以下のような効果を有する。
【００１２】
請求項１に記載の発明では、塗布液容器から液塗布具を引き出すときに、螺旋状の芯材を中心として放射状に広がって突出するブラシ毛材に、しごき残された塗布液をムラなく均一に保持でき、また螺旋状の芯材の内側に塗布液を保持できる。したがって、ブラシ毛材をまつ毛または下まつ毛をすくように回転動作させれば、まつ毛または下まつ毛について塗布液を螺旋状の内側から供給しながらムラなく均一に塗布することができる。
【００１３】
請求項２に記載の発明では、螺旋方向に延びる補強部材によって螺旋状の芯材が補強されて撓むことが規制され、塗布操作を確実に行うことができる。
【発明を実施するための最良の形態】
【００１４】
以下、この発明の液塗布具の実施の形態について説明する。この発明の実施の形態は、発明の最も好ましい形態を示すものであり、この発明はこれに限定されない。
【００１５】
［第１の実施の形態］
この実施の形態を図１乃至図５に基づいて説明する。図１は液塗布具の側面図、図２は液塗布具の螺旋状の曲げ形状を示す図、図３は液塗布具の製造を示す図、図４は液塗布具の使用を説明する図、図５は液塗布具の他の実施の形態を示す図である。
【００１６】
まず、この液塗布具１の構成について説明する。この実施の形態の液塗布具１は、図１および図２に示すように、キャップ２に芯材３を固定し、この芯材３に植毛されたブラシ毛材４によって塗布対象毛に塗布液を塗布するものである。
【００１７】
この液塗布具１の芯材３は、複数本の線材間に、ブラシ毛材４を線材の延長方向に配列するように挟み込んだ状態においてねじり加工を施すことにより、芯材３を中心として外方にブラシ毛材４を突出するように植毛し、この芯材３に、螺旋状に曲げ加工を施すことにより、図１に示すように、側面から見て螺旋状の芯材３を中心としてブラシ毛材４を直線的に外方に放射状に広がって突出するようにした構成である。
【００１８】
この液塗布具１の螺旋状の曲げ形状は、円形状（図２（ａ））、楕円形状（図２（ｂ））、三角形状（図２（ｃ））、四角形状（図２（ｄ））などがあり、螺旋状の曲げ加工するための冶具５０の断面形状によって決定される。
【００１９】
次に、この液塗布具１の製造について説明する。まず、芯材３は、図３（ａ）に示すように、０．１〜２．０〔ｍｍφ〕の太さの２本のステンレス線材を用い、この線材間に、ブラシ毛材４を線材の延長方向に配列するように挟み込む。この実施の形態では、１本の線材を中央部で折り曲げて２本の線材としているが、折り曲げないで２本、さらに３本以上の複数本の線材を用いていることができる。
【００２０】
このようにして、２本の線材間に、ブラシ毛材４を線材の延長方向に配列するように挟み込んだ状態においてねじり加工を施すことにより、図３（ｂ）に示すように、芯材３を中心として外方にブラシ毛材４を突出するように植毛する。
【００２１】
そして、図３（ｃ）に示すように、ブラシ毛材４を植毛した芯材３を、螺旋状の曲げ加工するための冶具５０に螺旋状に巻き付け、冶具５０を取り外す。
【００２２】
このようにして、ブラシ毛材４を植毛した芯材３に、螺旋状に曲げ加工を施すことにより、図３（ｄ）に示すように、側面から見て螺旋状で芯材３を中心としてブラシ毛材４を直線的に、かつ外方に放射状に広がって突出するようにしている。
【００２３】
この芯材３の全体の螺旋状は、外観形状が手元から先端まで同じ大きさの断面が円形の形状になっているが、先端に行くに従って先細りになる断面がほぼ円形形状に成形してもよい。
【００２４】
次に、この液塗布具１の使用について説明する。この実施の形態では、側面から見て螺旋状で芯材３を中心としてブラシ毛材４を直線的に外方に放射状に広がって突出するように配置されており、図４（ａ）に示すように、塗布液容器Ｒ２から液塗布具１を引き出すときに、ブラシ毛材４全体が塗布液容器Ｒ２のしごき部材Ｒ７によってしごかれる。
【００２５】
その後、しごき部材Ｒ７を通り過ぎて外に出たときその弾性によって起立した状態に復元するような動作をすることにより、ブラシ毛材４間に保持されていた塗布液がしごき落とされてブラシ毛材４の周囲に塗布液が付着した状態になる。
【００２６】
このようにして、ブラシ毛材４はしごき動作を受けるのに対して、螺旋状で芯材３を中心としてブラシ毛材４を放射状に広がって突出するように配置しているので、しごき残された塗布液は、ブラシ毛材４全体に均一に付着して保持でき、また螺旋の内側に塗布液を保持できる。したがって、使用者が、図４（ｂ）に示すように、まつ毛１０または下まつ毛をすくように回転動作させれば、１本１本のまつ毛１０または下まつ毛の細部について塗布液を螺旋の内側から供給しながらムラなく均一に塗布することができる。
【００２７】
このように、まつ毛１０への塗布液の塗布操作は、使用者がブラシ毛材４するだけで、ブラシ毛材４に均一に付着している塗布液がまつ毛１０に塗布されることにより、塗布液を簡単かつ確実にまつ毛１０にムラなく塗布することができる。
【００２８】
この第１の実施の形態では、図５に示すように、補強部材５を設け、螺旋状の芯材３を中心としてブラシ毛材４を直線的に外方に放射状に広がって突出するように配置してもよい。このように、螺旋方向に延びる補強部材５によって螺旋状の芯材３が補強されて撓むことが規制され、塗布操作を確実に行うことができる。
［第２の実施の形態］
この実施の形態を図６乃至図９に基づいて説明する。図６は液塗布具の側面図、
図７は液塗布具の製造を示す図、図８は液塗布具の使用を説明する図、図９は液塗布具の他の実施の形態を示す図である。
【００２９】
まず、この液塗布具１の構成について説明する。この実施の形態の液塗布具１は、図６および図７に示すように、第１の実施の形態と同様に、キャップ２に芯材３を固定し、この芯材３に植毛されたブラシ毛材４によって塗布対象毛に塗布液を塗布するものである。
【００３０】
この液塗布具１の芯材３は、線材の外周に、ブラシ毛材４を線材の延長方向に沿って接着し、このようにして芯材３を中心として外方にブラシ毛材４を突出するように植毛し、この芯材３に、螺旋状に曲げ加工を施すことにより、図６に示すように、側面から見て螺旋状の芯材３を中心としてブラシ毛材４を直線的に外方に放射状に広がって突出するように配置した構成である。
【００３１】
この液塗布具１でも第１の実施の形態と同様に螺旋状の曲げ形状は、円形状、楕円形状、三角形状、四角形状などがあり、螺旋状の曲げ加工するための冶具の形状によって決定される。
【００３２】
次に、この液塗布具１の製造について説明する。まず、芯材３は、図７（ａ）に示すように、０．１〜２．０〔ｍｍφ〕の太さの１本のステンレス線材を用い、この線材の外周に、ブラシ毛材４を線材の延長方向に沿って接着する。この実施の形態では、１本の線材を用いて曲げ強度を、線材の径を大きくして持たせているが、２本の線材を捩って用いてもよいし、さらに３本以上の複数本の線材を捩って用いることができる。
【００３３】
このようにして、線材の外周に、ブラシ毛材４を線材の延長方向に沿って接着することにより、芯材３を中心として外方にブラシ毛材４を突出するように植毛する。この実施の形態では、ブラシ毛材４は３〜１０ｍｍ程度の短いものが用いられている。
【００３４】
そして、図７（ｂ）に示すように、ブラシ毛材４を植毛した芯材３を、螺旋状の曲げ加工するための冶具５０に螺旋状に巻き付け、冶具５０を取り外す。
【００３５】
このようにして、ブラシ毛材４を植毛した芯材３に、螺旋状に曲げ加工を施すことにより、図７（ｃ）に示すように、螺旋状の芯材３を中心としてブラシ毛材４を直線的に、かつ外方に放射状に広がって突出するように配置している。
【００３６】
次に、この液塗布具１の使用について説明する。この実施の形態でも第１の実施の形態と同様に、図８（ａ）に示すように、塗布液容器Ｒ２から液塗布具１を引き出すときに、ブラシ毛材４全体が塗布液容器Ｒ２のしごき部材Ｒ７によってしごかれる。
【００３７】
ブラシ毛材４はしごき動作を受けるのに対して、螺旋状の芯材３を中心としてブラシ毛材４を放射状に広がって突出するように配置しているので、しごき残された塗布液２０は、ブラシ毛材４全体に均一に付着して保持でき、また螺旋の内側に塗布液を保持できる。
【００３８】
したがって、使用者が、図８（ｂ）に示すように、まつ毛１０または下まつ毛をすくように移動しながら回転動作させれば、１本１本のまつ毛１０または下まつ毛の細部について塗布液を螺旋の内側から供給しながらムラなく均一に塗布することができる。
【００３９】
この第２の実施の形態でも第１の実施の形態と同様に、図９に示すように、補強部材５を設け、螺旋状の芯材３を中心としてブラシ毛材４を直線的に外方に放射状に広がって突出するように配置してもよい。
【産業上の利用可能性】
【００４０】
この発明は、液塗布具に関し、特にマスカラブラシや毛染め用ブラシのように塗布対象毛にマスカラや毛染め液などの塗布液を塗布する場合に適用して好適なものであり、簡単な塗布操作で、塗布対象毛に対して塗布液をムラなく均一に塗布できる。
【図面の簡単な説明】
【００４１】
【図１】液塗布具の側面図である。
【図２】液塗布具の螺旋状の曲げ形状を示す図である。
【図３】液塗布具の製造を示す図である。
【図４】液塗布具の使用を説明する図である。
【図５】液塗布具の他の実施の形態を示す図である。
【図６】液塗布具の側面図である。
【図７】液塗布具の製造を示す図である。
【図８】液塗布具の使用を説明する図である。
【図９】液塗布具の他の実施の形態を示す図である。
【図１０】従来の液塗布具の使用を示す図である。
【図１１】従来の液塗布具を示す図である。
【符号の説明】
【００４２】
１  液塗布具
２  キャップ
３  芯材
４  ブラシ毛材
５  補強部材
１０  まつ毛
２０  塗布液
５０  冶具
Ｒ２  塗布液容器
Ｒ７  しごき部材
【図１】
2010063747.tif 000003
【図２】
2010063747.tif 000004
【図３】
2010063747.tif 000005
【図４】
2010063747.tif 000006
【図５】
2010063747.tif 000007
【図６】
2010063747.tif 000008
【図７】
2010063747.tif 000009
【図８】
2010063747.tif 000010
【図９】
2010063747.tif 000011
【図１０】
2010063747.tif 000012
【図１１】
2010063747.tif 000013